(57)【要約】      （修正有）【課題】仕掛を係止する軸部材を比重の大きなルア−本体に緩みなく確実に取り付けたルア−を提供する。【解決手段】ルア−は魚形状にタングステン合金で形成されたルア−本体２の前端から長手方向に延びる縦孔２ａと後端から長手方向に延びる縦孔２ｂと、ルア−本体２の側面から延びて前記縦孔２ａと交差する横孔２ｃと、縦孔２ｂと交差する横孔２ｄが夫々形成され、前記縦孔２ａと縦孔２ｂにステンレスまたはタングステン合金からなる軸部材３の他端側が挿入される。軸部材３は一端側に仕掛挿通孔３ａを有し他端側に係止孔３ｂを有する。前記横孔２ｃと横孔２ｄに前記軸部材３の係止孔３ｂを通るようにステンレスまたはタングステン合金からなる抜け止め部材４を嵌合して抜け止めを行う。【選択図】図３
2010081830.tif 000002
【特許請求の範囲】
【請求項１】
ルア−本体に該ルア−本体の一端から長手方向に延びる縦孔と前記ルア−本体の側面から延びて前記縦孔と交差する横孔を形成し、前記縦孔に、一端側に仕掛挿通孔を有し他端側に係止孔を有する軸部材の前記他端側を挿通し、前記横孔に前記軸部材の係止孔を通るように抜け止め部材を嵌合したことを特徴とするルア−。
【請求項２】
ルア−本体はタングステン合金で形成されていることを特徴とする請求項１記載のルア−。
【請求項３】
抜け止め部材はタングステン合金で形成されていることを特徴とする請求項１または２記載のルア−。
【請求項４】
軸部材は平板状に形成されていることを特徴とする請求項１記載のルア−。
【発明の詳細な説明】
【技術分野】
【０００１】
本発明は、金属製ルア−の軸部材の取付方法を改善したルア−に関する。
【背景技術】
【０００２】
従来から水深の深いところにいる魚を釣るときには金属製ルア−が使用されている。
この様なルア−は特許文献１のようにルア−本体がタングステン等の金属から成る一般的にジグと言われるダイプのルア−であって、ルア−本体に長手方向に貫通孔を作って貫通孔に一本の芯棒を通して、芯棒の前後に釣糸や仕掛を連結しているが、タングステン等の溶融温度が高い金属は、鉛を溶融して芯棒を一体的に固定出来る場合と異なり、芯棒をタングステンのルア−本体に固定することは難しく、特許文献１の芯棒（軸部材）は長手方向に移動することになって糸が絡み易くなって取り外し難くなる。
更に芯棒の固定が不十分になりやすく芯棒（軸部材）が長手方向に移動するのでルア−の動きが複雑になって魚が掛かったと誤解することがありうる欠点がある。
【特許文献１】特開２００４−５７０９９号公報
【発明の開示】
【発明が解決しようとする課題】
【０００３】
解決しようとする問題点は、ルア−本体に対して軸部材の固定が不十分であると芯棒が長手方向に移動することになって糸が絡み易くなって取り外し難くなると共にルア−の動きが複雑になって魚が掛かったと誤解することである。
【０００４】
本発明の目的は前記欠点に鑑み、仕掛を係止する軸部材をルア−本体に緩みなく確実に取り付けたルア−を提供することである。
【課題を解決するための手段】
【０００５】
本発明の請求項１は、ルア−本体に該ルア−本体の一端から長手方向に延びる縦孔と前記ルア−本体の側面から延びて前記縦孔と交差する横孔を形成し、前記縦孔に、一端側に仕掛挿通孔を有し他端側に係止孔を有する軸部材の前記他端側を挿通し、前記横孔に前記軸部材の係止孔を通るように抜け止め部材を嵌合したことを要旨とするものである。
本発明の請求項２は、ルア−本体はタングステン合金で形成されていることを要旨とするものである。
本発明の請求項３は、抜け止め部材はタングステン合金で形成されていることを要旨とするものである。
本発明の請求項４は、軸部材は平板状に形成されていることを要旨とするものである。
【発明の効果】
【０００６】
本発明の請求項により、軸部材がタングステン合金で形成されたルア−本体の前端から長手方向に延びる縦孔と後端から長手方向に延びる縦孔に夫々挿入されて、ルア−本体の側面から延びて前記前後の縦孔と交差する横孔と係止孔に夫々挿入された抜け止め部材で軸部材が抜け止めされているとガタつくことがなく確実に固定され、大物を釣り上げる時も緩まないので、獲物を釣り上げることが出来る。
軸部材を平板状に形成すると、軸部材に対してルア−本体が回り止めされる。
【発明を実施するための最良の形態】
【０００７】
ルア−１は魚形状にタングステン合金で形成されたルア−本体２の前端から長手方向に延びる縦孔２ａと後端から長手方向に延びる縦孔２ｂと、ルア−本体２の側面から延びて前記縦孔２ａと交差する横孔２ｃと、縦孔２ｂと交差する横孔２ｄが夫々形成され、前記縦孔２ａと縦孔２ｂにステンレスまたはタングステン合金からなる軸部材３の他端側が挿入される。
軸部材３は一端側に仕掛挿通孔３ａを有し他端側に係止孔３ｂを有する。
前記横孔２ｃと横孔２ｄに前記軸部材３の係止孔３ｂを通るようにステンレスまたはタングステン合金からなる抜け止め部材４を嵌合して抜け止めを行う。
【実施例１】
【０００８】
以下、図示の一実施例によって本発明を説明すると、図１は釣糸と仕掛が係止されたルア−の平面図、図２は軸部材がルア−本体から分解された分解平面図、図３は軸部材と抜け止め部材がルア−本体から分解された分解断面側面図、図４は軸部材がルア−本体から分解された分解側面図である。
【０００９】
ルア−１は魚形状にタングステン合金で形成された前後方向に長く、平板状のルア−本体２の前端から長手方向に延びる縦孔２ａと後端から長手方向に延びる縦孔２ｂと、ルア−本体２の側面から延びて前記縦孔２ａと交差する横孔２ｃと、縦孔２ｂと交差する横孔２ｄが夫々形成され、前記縦孔２ａと縦孔２ｂにステンレスまたはタングステン合金等の金属からなる軸部材３の他端側が挿入される。
縦孔２ａ、２ｂはそれぞれ横孔２ｃ、２ｄと交差した部位の少し奥で行き止まりとなっている。
タングステン合金製のルア−本体２は粉末冶金法によって製造され、タングステンとこれより比重の小さいニッケル、モリブデン及びコバルトのうち１または２以上の金属を含んだもので、タングステン含有量は４０重量％以上１００重量％未満とされている。
軸部材３は一端側に仕掛挿通孔３ａを有し他端側に係止孔３ｂを有する。
軸部材３はルア−本体２と同様に平板状に形成され縦孔２ａ、２ｂに回り止めされている。
前記横孔２ｃと横孔２ｄに前記軸部材３の係止孔３ｂを通るようにステンレスまたはタングステン合金からなる抜け止め部材４を嵌合して抜け止めを行う。
ルア−本体２の表裏の形状は夫々異なって水の抵抗で異なった動きが出来るように形成されている。
前側の軸部材３の仕掛挿通孔３ａには釣糸５等の仕掛が係止され、後側の仕掛挿通孔３ａには釣針６等の仕掛が係止される。
【００１０】
ルア−本体２がタングステン合金で形成されると、他の金属製のルア−に比較して比重が大きいため同じ重さなら小型化することが出来て早く沈めることが出来る。
軸部材３がルア−本体２の前端から長手方向に延びる縦孔２ａと後端から長手方向に延びる縦孔２ｂに夫々挿入されて、ルア−本体２の側面から延びて前記縦孔２ａと交差する横孔２ｃと、縦孔２ｂと交差する横孔２ｄに夫々挿入された抜け止め部材４で軸部材３が抜け止めされているとガタつくことがなく確実に固定される。
抜け止め部材４を横孔２ｃ、２ｄに差し込んで軸部材３の係止孔３ｂ、３ｂに挿通しルア−本体２に接着またはカシメ等により固定される。
【００１１】
前記のようにルア−が構成されていると、軸部材３がタングステン合金で形成されたルア−本体２の前端から長手方向に延びる縦孔２ａと後端から長手方向に延びる縦孔２ｂに夫々挿入されて、ルア−本体２の側面から延びて前記縦孔２ａと交差する横孔２ｃと係止孔３ｂと、縦孔２ｂと交差する横孔２ｄと係止孔３ｂに夫々挿入された抜け止め部材４で軸部材３が抜け止めされているとガタつくことがなく確実に固定され、大物を釣り上げる時も緩まないので、獲物を釣り上げることが出来る。
軸部材３を平板状に形成すると、軸部材３に対してルア−本体２が回り止めされる。
なお、ルア−本体２の前後方向に延びる縦孔２ａ、２ｂを連通してルア−本体２の前後方向に延びる１つの縦孔として１本の軸部材を挿通してもよい。
【産業上の利用可能性】
【００１２】
本発明はルア−全般に利用できる。
【図面の簡単な説明】
【００１３】
【図１】釣糸と仕掛が係止されたルア−の平面図である。
【図２】軸部材がルア−本体から分解された分解平面図である。
【図３】軸部材と抜け止め部材がルア−本体から分解された分解断面側面図である。
【図４】軸部材がルア−本体から分解された分解側面図である。
【符号の説明】
【００１４】
２  ルア−本体
２ａ、２ｂ  縦孔
２ｃ、２ｄ  横孔
３  軸部材
３ａ  仕掛挿通孔
３ｂ  係止孔
４  抜け止め部材
【図１】
2010081830.tif 000003
【図２】
2010081830.tif 000004
【図３】
2010081830.tif 000005
【図４】
2010081830.tif 000006